【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
上りリンクデータの送信に使用される物理上りリンク共用チャネル（ＰＵＳＣＨ）を、物理下りリンク制御チャネル（ＰＤＣＣＨ）を使用して移動局装置へ割り当てる基地局装置であって、
前記物理上りリンク共用チャネル（ＰＵＳＣＨ）で受信品質情報を送信することを指示する第１の情報を、前記前記物理下りリンク制御チャネル（ＰＤＣＣＨ）を使用して前記移動局装置へ送信する手段と、
前記物理上りリンク共用チャネル（ＰＵＳＣＨ）で送信される前記受信品質情報のリソース量の決定に用いられる第２の情報を、無線資源制御信号に含めて前記移動局装置へ送信する手段と、を備え、
前記第１の情報に基づいて前記物理上りリンク共用チャネル（ＰＵＳＣＨ）で前記上りリンクデータと共に送信される前記受信品質情報のリソース量は、前記物理下りリンク制御チャネル（ＰＤＣＣＨ）を使用して割り当てた前記物理上りリンク共用チャネル（ＰＵＳＣＨ）の大きさと、前記第２の情報と、に基づいて決定されることを特徴とする基地局装置。
【請求項２】
上りリンクデータの送信に使用される物理上りリンク共用チャネル（ＰＵＳＣＨ）を、物理下りリンク制御チャネル（ＰＤＣＣＨ）を使用して基地局装置によって割り当てられる移動局装置であって、
前記物理上りリンク共用チャネル（ＰＵＳＣＨ）で受信品質情報を送信することを指示する第１の情報を、前記前記物理下りリンク制御チャネル（ＰＤＣＣＨ）を使用して前記基地局装置から受信する手段と、
前記物理上りリンク共用チャネル（ＰＵＳＣＨ）で送信される前記受信品質情報のリソース量の決定に用いられる第２の情報が含まれる無線資源制御信号を、前記基地局装置から受信する手段と、
前記１の情報に基づいて、前記物理上りリンク共用チャネル（ＰＵＳＣＨ）で前記上りリンクデータと共に前記受信品質情報を前記基地局装置へ送信する手段と、を備え、
前記受信品質情報のリソース量は、前記物理下りリンク制御チャネル（ＰＤＣＣＨ）を使用して割り当てられた前記物理上りリンク共用チャネル（ＰＵＳＣＨ）の大きさと、前記第２の情報と、に基づいて決定されることを特徴とする移動局装置。
【請求項３】
上りリンクデータの送信に使用される物理上りリンク共用チャネル（ＰＵＳＣＨ）を、物理下りリンク制御チャネル（ＰＤＣＣＨ）を使用して移動局装置へ割り当てる基地局装置の通信方法であって、
前記物理上りリンク共用チャネル（ＰＵＳＣＨ）で受信品質情報を送信することを指示する第１の情報を、前記前記物理下りリンク制御チャネル（ＰＤＣＣＨ）を使用して前記移動局装置へ送信し、
前記物理上りリンク共用チャネル（ＰＵＳＣＨ）で送信される前記受信品質情報のリソース量の決定に用いられる第２の情報を、無線資源制御信号に含めて前記移動局装置へ送信し、
前記第１の情報に基づいて前記物理上りリンク共用チャネル（ＰＵＳＣＨ）で前記上りリンクデータと共に送信される前記受信品質情報のリソース量は、前記物理下りリンク制御チャネル（ＰＤＣＣＨ）を使用して割り当てた前記物理上りリンク共用チャネル（ＰＵＳＣＨ）の大きさと、前記第２の情報と、に基づいて決定されることを特徴とする通信方法。
【請求項４】
上りリンクデータの送信に使用される物理上りリンク共用チャネル（ＰＵＳＣＨ）を、物理下りリンク制御チャネル（ＰＤＣＣＨ）を使用して基地局装置によって割り当てられる移動局装置の通信方法であって、
前記物理上りリンク共用チャネル（ＰＵＳＣＨ）で受信品質情報を送信することを指示する第１の情報を、前記前記物理下りリンク制御チャネル（ＰＤＣＣＨ）を使用して前記基地局装置から受信し、
前記物理上りリンク共用チャネル（ＰＵＳＣＨ）で送信される前記受信品質情報のリソース量の決定に用いられる第２の情報が含まれる無線資源制御信号を、前記基地局装置から受信し、
前記１の情報に基づいて、前記物理上りリンク共用チャネル（ＰＵＳＣＨ）で前記上りリンクデータと共に前記受信品質情報を前記基地局装置へ送信し、
前記受信品質情報のリソース量は、前記物理下りリンク制御チャネル（ＰＤＣＣＨ）を使用して割り当てられた前記物理上りリンク共用チャネル（ＰＵＳＣＨ）の大きさと、前記第２の情報と、に基づいて決定されることを特徴とする通信方法。
【手続補正２】
【補正対象書類名】明細書
【補正対象項目名】００１７
【補正方法】変更
【補正の内容】
【００１７】
（１）上記の目的を達成するために、本発明は、次のような手段を講じた。すなわち、本発明の基地局装置は、上りリンクデータの送信に使用される物理上りリンク共用チャネル（ＰＵＳＣＨ）を、物理下りリンク制御チャネル（ＰＤＣＣＨ）を使用して移動局装置へ割り当てる基地局装置であって、前記物理上りリンク共用チャネル（ＰＵＳＣＨ）で受信品質情報を送信することを指示する第１の情報を、前記前記物理下りリンク制御チャネル（ＰＤＣＣＨ）を使用して前記移動局装置へ送信する手段と、前記物理上りリンク共用チャネル（ＰＵＳＣＨ）で送信される前記受信品質情報のリソース量の決定に用いられる第２の情報を、無線資源制御信号に含めて前記移動局装置へ送信する手段と、を備え、前記第１の情報に基づいて前記物理上りリンク共用チャネル（ＰＵＳＣＨ）で前記上りリンクデータと共に送信される前記受信品質情報のリソース量は、前記物理下りリンク制御チャネル（ＰＤＣＣＨ）を使用して割り当てた前記物理上りリンク共用チャネル（ＰＵＳＣＨ）の大きさと、前記第２の情報と、に基づいて決定されることを特徴とする。
【手続補正３】
【補正対象書類名】明細書
【補正対象項目名】００１８
【補正方法】変更
【補正の内容】
【００１８】
（２）また、本発明の移動局装置は、上りリンクデータの送信に使用される物理上りリンク共用チャネル（ＰＵＳＣＨ）を、物理下りリンク制御チャネル（ＰＤＣＣＨ）を使用して基地局装置によって割り当てられる移動局装置であって、前記物理上りリンク共用チャネル（ＰＵＳＣＨ）で受信品質情報を送信することを指示する第１の情報を、前記前記物理下りリンク制御チャネル（ＰＤＣＣＨ）を使用して前記基地局装置から受信する手段と、前記物理上りリンク共用チャネル（ＰＵＳＣＨ）で送信される前記受信品質情報のリソース量の決定に用いられる第２の情報が含まれる無線資源制御信号を、前記基地局装置から受信する手段と、前記１の情報に基づいて、前記物理上りリンク共用チャネル（ＰＵＳＣＨ）で前記上りリンクデータと共に前記受信品質情報を前記基地局装置へ送信する手段と、を備え、前記受信品質情報のリソース量は、前記物理下りリンク制御チャネル（ＰＤＣＣＨ）を使用して割り当てられた前記物理上りリンク共用チャネル（ＰＵＳＣＨ）の大きさと、前記第２の情報と、に基づいて決定されることを特徴とする。
【手続補正４】
【補正対象書類名】明細書
【補正対象項目名】００１９
【補正方法】変更
【補正の内容】
【００１９】
（３）また、本発明の通信方法は、上りリンクデータの送信に使用される物理上りリンク共用チャネル（ＰＵＳＣＨ）を、物理下りリンク制御チャネル（ＰＤＣＣＨ）を使用して移動局装置へ割り当てる基地局装置の通信方法であって、前記物理上りリンク共用チャネル（ＰＵＳＣＨ）で受信品質情報を送信することを指示する第１の情報を、前記前記物理下りリンク制御チャネル（ＰＤＣＣＨ）を使用して前記移動局装置へ送信し、前記物理上りリンク共用チャネル（ＰＵＳＣＨ）で送信される前記受信品質情報のリソース量の決定に用いられる第２の情報を、無線資源制御信号に含めて前記移動局装置へ送信し、前記第１の情報に基づいて前記物理上りリンク共用チャネル（ＰＵＳＣＨ）で前記上りリンクデータと共に送信される前記受信品質情報のリソース量は、前記物理下りリンク制御チャネル（ＰＤＣＣＨ）を使用して割り当てた前記物理上りリンク共用チャネル（ＰＵＳＣＨ）の大きさと、前記第２の情報と、に基づいて決定されることを特徴とする。
【手続補正５】
【補正対象書類名】明細書
【補正対象項目名】００２０
【補正方法】変更
【補正の内容】
【００２０】
（４）また、本発明の通信方法は、上りリンクデータの送信に使用される物理上りリンク共用チャネル（ＰＵＳＣＨ）を、物理下りリンク制御チャネル（ＰＤＣＣＨ）を使用して基地局装置によって割り当てられる移動局装置の通信方法であって、前記物理上りリンク共用チャネル（ＰＵＳＣＨ）で受信品質情報を送信することを指示する第１の情報を、前記前記物理下りリンク制御チャネル（ＰＤＣＣＨ）を使用して前記基地局装置から受信し、前記物理上りリンク共用チャネル（ＰＵＳＣＨ）で送信される前記受信品質情報のリソース量の決定に用いられる第２の情報が含まれる無線資源制御信号を、前記基地局装置から受信し、前記１の情報に基づいて、前記物理上りリンク共用チャネル（ＰＵＳＣＨ）で前記上りリンクデータと共に前記受信品質情報を前記基地局装置へ送信し、前記受信品質情報のリソース量は、前記物理下りリンク制御チャネル（ＰＤＣＣＨ）を使用して割り当てられた前記物理上りリンク共用チャネル（ＰＵＳＣＨ）の大きさと、前記第２の情報と、に基づいて決定されることを特徴とする。